(57)【特許請求の範囲】
【請求項１】
トレイと共にまたはトレイを伴なうことなく引き出し自在な複数のディスクが設置されるディスク設置部と、ディスクの回転駆動部とディスクに対向するヘッドとを有する駆動ユニットと、前記駆動ユニットまたは前記ディスク設置部を前記ディスク設置部でのディスクの並び方向へ移動させて前記ディスク設置部内の選択されたディスクに前記駆動ユニットを対向させる選択駆動手段と、選択されたディスクを前記駆動ユニット内に引き込む引き込み部材とが設けられたディスク選択式ディスク装置において、
前記引き込み部材にこの引き込み部材と共に移動する可動規制壁が設けられており、前記駆動ユニットと前記ディスク設置部とが所定の位置関係で対向したときに、前記可動規制壁で、前記ディスク設置部内の全てのディスクの突出が規制されることを特徴とするディスク選択式ディスク装置。
【請求項２】
トレイと共にまたはトレイを伴なうことなく引き出し自在な複数のディスクが設置されるディスク設置部と、ディスクの回転駆動部とディスクに対向するヘッドとを有する駆動ユニットと、前記駆動ユニットまたは前記ディスク設置部を前記ディスク設置部でのディスクの並び方向へ移動させて前記ディスク設置部内の選択されたディスクに前記駆動ユニットを対向させる選択駆動手段と、選択されたディスクを前記駆動ユニット内に引き込む引き込み部材とが設けられたディスク選択式ディスク装置において、
前記駆動ユニットに規制壁が設けられ、前記引き込み部材にこの引き込み部材と共に移動する可動規制壁が設けられており、前記駆動ユニットと前記ディスク設置部とが所定の位置関係で対向したときに、前記規制壁と前記可動規制壁とで、前記ディスク設置部内の全てのディスクの突出が規制されることを特徴とするディスク選択式ディスク装置。
【請求項３】
前記駆動ユニットには、前記回転駆動部および前記ヘッドを有するドライブベースと、前記回転駆動部にディスクをクランプするクランパが支持されたクランプベースが設けられており、前記ドライブベースとクランプベースの少なくとも一方に、前記規制壁が設けられている請求項２記載のディスク選択式ディスク装置。
【請求項４】
前記ドライブベースと前記クランプベースのいずれか一方に前記引き込み部材が設けられており、
前記駆動ユニットと前記ディスク設置部とが前記の所定の位置関係で対向したときに、前記ドライブベースと前記クランプベースとが所定間隔で対向して、前記可動規制壁が前記ドライブベースと前記クランプベースとの間隔内に位置しており、
前記引き込み部材で前記ディスクが駆動ユニット内に引き込まれて前記ドライブベースと前記クランプベースとがディスクをクランプできる距離に接近したときに、前記可動規制壁が前記ドライブベースと前記クランプベースのいずれかに形成された退避空間内に介入する請求項３記載のディスク選択式ディスク装置。
【請求項５】
前記駆動ユニットと前記ディスク設置部とが前記の所定の位置関係で対向しているときに、前記駆動ユニットと前記ディスク設置部との相対位置をロックするロック手段が設けられている請求項１ないし４のいずれかに記載のディスク選択式ディスク装置。
【請求項６】
前記選択駆動手段は、直線的に往復移動する切換え板と、この切換え板に形成されて前記駆動ユニットを前記ディスクの並び方向へ移動させる選択穴とを有しており、前記選択穴は、前記切換え板の移動方向と前記駆動ユニットの移動方向の双方に対して傾斜する傾斜長穴と、この傾斜長穴の途中または終端に設けられた段差部とを有し、この段差部が、前記駆動ユニットを安定させる前記ロック手段となる請求項５記載のディスク選択式ディスク装置。
【発明の詳細な説明】
【０００１】
【発明の属する技術分野】
本発明は、ディスク選択式のディスク装置に係り、特にディスク設置部内の複数のトレイまたはディスクが、駆動ユニット側へ飛び出すのを防止できるようにしたディスク選択式ディスク装置に関する。
【０００２】
【従来の技術】
車載用などのディスク選択式ディスク装置では、筐体内のディスク設置部にマガジンが装填される。このマガジン内にはそれぞれがディスクを載置した複数のトレイが引き出し自在に収納され、またはトレイを設けることなく複数のディスクが取り出し自在に収納される。
【０００３】
前記ディスク設置部に対向する駆動ユニットには、回転駆動部とヘッドとが搭載されている。この駆動ユニットが前記ディスク設置部内のディスクの並び方向へ移動することにより、マガジン内のトレイまたはディスクが選択される。この選択されたトレイまたはディスクが駆動ユニット内に引き込まれ、ディスクが前記回転駆動部に設置されて回転駆動され、ヘッドによってディスクに記録された信号が読み取られ、あるいはヘッドによってディスクに信号が記録される。
【０００４】
【発明が解決しようとする課題】
しかしながら、前記ディスク選択式ディスク装置に装填されるマガジンは一側面に開口部が形成された箱形状であるため、マガジンがディスク装置のディスク設置部内に装填された状態で、前記開口部からトレイまたはディスクが不用意に駆動ユニットの方向へ突出しやすいという問題がある。
【０００５】
例えば、トレイが収納されたマガジンがディスク設置部に装填されたままの状態で、ディスク装置が梱包され出荷される場合に、梱包体に与えられる振動や衝撃によりマガジンＭ内のトレイが駆動ユニット内へ飛び出ることがある。
【０００６】
またディスク選択式ディスク装置が自動車に搭載されている状態で、車体振動が与えられたときに、ディスク設置部に設置されているマガジン内のトレイやディスクが駆動ユニット内に不用意に飛び出ることがある。
【０００７】
また、マガジンが開口部を挿入方向前方に向けて装填されるものでは、マガジンをディスク設置部に装填したときの衝撃で、挿入方向前方に開口する開口部からトレイやディスクが飛び出しやすい。
【０００８】
このように、ディスク設置部内のトレイやディスクが不用意に駆動ユニット内に突出すると、装置を分解しない限り駆動ユニット内へ突出したトレイやディスクを取り出すことができなくなり重大な故障となる。また、駆動ユニット内の部品がトレイやディスクの突出衝撃で破壊されて故障の原因になったり、またはトレイが損傷するおそれがある。また自動車などに実装された状態で、トレイやディスクが駆動ユニット内へ不用意に突出すると、ディスクを選択するために、駆動ユニットを動かしたときに、トレイやディスクが駆動ユニットに噛み込んで故障の原因になる。
【０００９】
本発明は上記従来の課題を解決するものであり、ディスク設置部に位置している複数のトレイやマガジンが駆動ユニット内に不用意に突出するのを防止したディスク選択式ディスク装置を提供することを目的としている。
【００１０】
【課題を解決するための手段】
本発明は、トレイと共にまたはトレイを伴なうことなく引き出し自在な複数のディスクが設置されるディスク設置部と、ディスクの回転駆動部とディスクに対向するヘッドとを有する駆動ユニットと、前記駆動ユニットまたは前記ディスク設置部を前記ディスク設置部でのディスクの並び方向へ移動させて前記ディスク設置部内の選択されたディスクに前記駆動ユニットを対向させる選択駆動手段と、選択されたディスクを前記駆動ユニット内に引き込む引き込み部材とが設けられたディスク選択式ディスク装置において、
前記引き込み部材にこの引き込み部材と共に移動する可動規制壁が設けられており、前記駆動ユニットと前記ディスク設置部とが所定の位置関係で対向したときに、前記可動規制壁で、前記ディスク設置部内の全てのディスクの突出が規制されることを特徴とするものである。
あるいは、本発明は、トレイと共にまたはトレイを伴なうことなく引き出し自在な複数のディスクが設置されるディスク設置部と、ディスクの回転駆動部とディスクに対向するヘッドとを有する駆動ユニットと、前記駆動ユニットまたは前記ディスク設置部を前記ディスク設置部でのディスクの並び方向へ移動させて前記ディスク設置部内の選択されたディスクに前記駆動ユニットを対向させる選択駆動手段と、選択されたディスクを前記駆動ユニット内に引き込む引き込み部材とが設けられたディスク選択式ディスク装置において、
前記駆動ユニットに規制壁が設けられ、前記引き込み部材にこの引き込み部材と共に移動する可動規制壁が設けられており、前記駆動ユニットと前記ディスク設置部とが所定の位置関係で対向したときに、前記規制壁と前記可動規制壁とで、前記ディスク設置部内の全てのディスクの突出が規制されることを特徴とするものである。
【００１１】
例えば駆動ユニットとディスク設置部とが初期位置（ホームポジション）で対向しているときに、駆動ユニット側の規制壁がディスク設置部内の全てのトレイまたはディスクに対向する。よって、衝撃などでディスク設置部内のトレイやディスクが駆動ユニット内へ突出するのを防止できる。
【００１２】
前記ディスク設置部には、トレイを収納したマガジン、またはトレイを有しないマガジンが装填されるものであってもよいし、あるいはマガジンを用いることなく、筐体内のディスク設置部へ、筐体外からディスクやディスクを収納したカートリッジを１枚ずつ複数個装填するものであってもよい。または筐体内のディスク設置部に複数のトレイが設けられ、筐体の外部から各トレイ上にディスクを挿入するものであってもよい。
【００１３】
また、トレイまたはディスクの選択動作は、駆動ユニットがディスクの並び方向へ移動する方式でもよいし、駆動ユニットが停止しておりマガジンなどを有するディスク設置部がディスクの並び方向へ移動するものであってもよい。
【００１４】
例えば、前記ディスク設置部には、ディスクと共に引き出されるトレイが設けられ、前記駆動ユニットには、前記ディスク設置部から選択されたトレイを前記駆動ユニット内に引き込む引き込み部材が設けられており、前記引き込み部材に前記規制壁が設けられて、前記駆動ユニットと前記ディスク設置部とが前記の所定の位置関係で対向するときに、前記引き込み部材が前記ディスク設置部側に位置して前記規制壁が前記ディスク設置部内のトレイに対向する。
【００１５】
また、前記ドライブベースと前記クランプベースのいずれか一方に前記引き込み部材が設けられており、
前記駆動ユニットと前記ディスク設置部とが前記の所定の位置関係で対向したときに、前記ドライブベースと前記クランプベースとが所定間隔で対向して、前記可動規制壁が前記ドライブベースと前記クランプベースとの間隔内に位置しており、
前記引き込み部材で前記ディスクが駆動ユニット内に引き込まれて前記ドライブベースと前記クランプベースとがディスクをクランプできる距離に接近したときに、前記可動規制壁が前記ドライブベースと前記クランプベースのいずれかに形成された退避空間内に介入するものが好ましい。
【００１６】
上記構造では、駆動ユニットとディスク設置部とがホームポジションなどで対向しているときに、駆動ユニット内のドライブベースとクランプベースが離れていても、その間に位置する規制壁で複数のトレイやディスクの突出を防止できる。またドライブベースとクランプベースとの間の規制壁のディスク並び方向の長さを大きくでき、この規制壁で多数のトレイやディスクの突出を防止できる。
【００１７】
また、本発明は、前記駆動ユニットには、前記回転駆動部および前記ヘッドを有するドライブベースと、前記回転駆動部にディスクをクランプするクランパが支持されたクランプベースが設けられており、前記ドライブベースとクランプベースの少なくとも一方に、ディスク設置部に対向する前記規制壁が設けられているものであってもよい。
【００１９】
なお、前記駆動ユニットと前記ディスク設置部とが前記の所定の位置関係で対向し、前記規制壁でディスク設置部内の全てのトレイまたはディスクが規制されている状態で、前記駆動ユニットと前記ディスク設置部との相対位置をロックするロック手段が設けられていることが好ましい。
【００２０】
上記ロック手段を設けると、例えばホームポジションで対向する駆動ユニットとディスク設置部の相対位置が衝撃などで変化することがなく、前記規制壁をディスク設置部内のトレイやディスクに対向させた状態を維持でき、規制壁がトレイやディスクから外れることがない。
【００２１】
例えば、前記選択駆動手段は、直線的に往復移動する切換え板と、この切換え板に形成されて前記駆動ユニットを前記ディスクの並び方向へ移動させる選択穴とを有しており、前記選択穴は、前記切換え板の移動方向と前記駆動ユニットの移動方向の双方に対して傾斜する傾斜長穴と、この傾斜長穴の途中または終端に設けられた段差部とを有し、この段差部が、前記駆動ユニットを安定させる前記ロック手段とされているものとして構成できる。
【００２２】
【発明の実施の形態】
図１は本発明のディスク選択式ディスク装置の一例を示す斜視図、図２は駆動ユニットがホームポジションに位置する状態を示す部分側面図、図３はマガジン内の選択されたトレイを引き出した状態を示す部分側面図、図４は選択されたトレイ上のディスクがクランプされた状態を示す部分側面図である。
【００２３】
図１に示す筐体１は天井板を外した状態を示している。筐体１内のほぼ半分の領域がディスク設置部Ｉであり、残りのほぼ半分の領域がディスク選択駆動領域ＩＩである。
【００２４】
前記ディスク設置部Ｉでは、筐体１の前側の側板１ａに装填口２が開口している。この装填口２から前記ディスク設置部Ｉ内へマガジンＭが装填可能である。前記マガジンＭは合成樹脂材料で箱形状に形成されたものであり、前記装填口２への装填方向と直交する方向に開口部Ｍ１が形成されている。すなわち、マガジンＭはディスク設置部Ｉ内へＸ方向に向けて装填されるが、前記マガジンＭでは前記Ｘ方向と直交するＹ２方向に開口部Ｍ１が向けられている。
【００２５】
前記マガジンＭ内には複数枚のトレイＴが重ねられて収納されており、個々のトレイＴは、前記Ｙ２方向に向けて引き出し自在である。トレイＴの上面には円形状の窪みが形成されており、この窪み内にＣＤやＤＶＤなどのディスクＤが載置される。また各トレイＴのＸ側の一側部には引き出しのための掛止部Ｔ１が一体に形成されている。
【００２６】
前記ディスク選択駆動領域ＩＩでは、駆動ユニット１０が上下動自在に設けられている。この駆動ユニット１０では、ドライブベース１１とクランプベース１２とがほぼ平行に対面して設けられている。前記ドライブベース１１の前後の側板には、図示下方へ折り曲げられた折り曲げ部が形成されており、この折り曲げ部にぞれぞれガイド軸１３，１３が取付けられている。前記筐体１の前側と後側の両側板１ａと１ｂには、縦方向に延びるガイドスリットが形成されており、前記ガイド軸１３，１３が各ガイドスリットに摺動自在に挿入されている。その結果、前記ドライブベース１１が上下動自在に支持されている。また、図２と図３に示すように、ドライブベース１１とクランプベース１２は、間隔Ｈ１を保った状態で互いに連結可能であり、またその連結を解除することもできる。
【００２７】
筐体１の側板１ａと１ｂには、切換え板１４と１５が設けられている。切換え板１４には一対の長穴１４ａ，１４ａが形成されて、前記側板１ａに固定された支持軸１６，１６が前記長穴１４ａ，１４ａに挿通されており、切換え板１４が前記支持軸１６，１６によってＹ方向へ摺動自在に支持されている。前記側板１ｂにも同様に支持軸が設けられて、前記切換え板１５が同じくＹ方向へ摺動自在に支持されている。
【００２８】
筐体１の底板１ｃの下面には連結アーム１７が軸２１により回動自在に支持されている。この連結アーム１７の両端が連結ピン１８，１９により、前記切換え板１４と１５に連結されている。一方の切換え板１５にはラック部材２５が固定されている。前記底板１ｃの下面には、切換えモータ２６およびこの切換えモータ２６により駆動される減速歯車列２７が設けられており、この減速歯車列２７の最終段のピニオン歯車２７ａが前記ラック部材２５に噛み合っている。前記切換えモータ２６の動力により、前記切換え板１４と切換え板１５は、側板１ａと側板１ｂの外側において、互いに逆の方向へ駆動される。
【００２９】
前記切換え板１４には、選択穴２２，２２が形成されて、前記ドライブベース１１に設けられたガイド軸１３，１３が前記選択穴２２，２２内に挿入されている。前記選択穴２２，２２は、傾斜長穴２２ｂ，２２ｂを有しており、この傾斜長穴２２ｂ，２２ｂは、前記切換え板１４の摺動方向（Ｙ方向）と、前記駆動ユニット１０の移動方向（上下方向）の双方に対して傾斜して形成されている。よって、切換え板１４がＹ１側へ移動すると、駆動ユニット１０が持ち上げられ、切換え板１４がＹ２方向へ移動すると、駆動ユニット１０が下降させられる。
【００３０】
前記切換え板１４の移動により、ディスク設置部Ｉに装填されたマガジンＭ内の複数のトレイＴの並び方向（上下方向）へ駆動ユニット１０が移動する。この移動によりマガジンＭ内のいずれかのトレイＴが選択され、駆動ユニット１０が選択されたトレイＴに対向した状態で、切換え板１４が停止させられる。
【００３１】
なお、この実施の形態では、駆動ユニット１０が上昇して、所定の位置（ホームポジション）に至ったときに、前記ガイド軸１３，１３が、選択穴２２，２２の段差部２２ａ，２２ａに位置する。ガイド軸１３，１３が前記段差部２２ａ，２２ａに位置することにより、外部振動などが与えられたときに、ホームポジションに位置する駆動ユニット１０が不用意に動くのを防止できる。なお、ここでいうホームポジションとは、例えばマガジンＭ内の一番上段のトレイＴを選択する位置である。ただし、最下段のトレイＴを選択する位置が駆動ユニット１０のホームポジションであっても良いし、またはいずれのトレイも選択していない位置がホームポジションであってもよい。
【００３２】
なお、前記切換え板１５には、切換え板１４に設けられた選択穴２２，２２と逆の傾斜向きの選択穴２２，２２が設けられている。前記駆動ユニット１０は、両切換え板１４と１５とで構成される選択駆動部によって昇降駆動され、いずれかのトレイＴを選択できる位置で停止するようになっている。
【００３３】
なお、前述のように、前記ガイド軸１３，１３は前記駆動ユニット１０のドライブベース１１に設けられている。よって前記切換え板１４と１５の選択穴２２，２２によって前記ドライブベース１１の高さが決められ、さらにドライブベース１１上に間隔Ｈ１を開けて連結されているクランプベース１２の高さも決められる。ただし、前記筐体１の側板１ａと１ｂには、位置決め溝１ｄ，１ｄがそれぞれ６段に形成されており、また前記クランプベース１２には、前記位置決め溝１ｄ，１ｄのいずれかに嵌合する位置決め嵌合部２８が設けられている。
【００３４】
前記切換え板１４，１５によりドライブベース１１の高さが変えられて、いずれかのトレイＴを選択する高さとなると、その時点で、前記位置決め嵌合部２８が位置決め溝１ｄ，１ｄに嵌合してクランプベース１２の高さ位置が決められる。
【００３５】
ここで、トレイＴ上のディスクＤを駆動ユニット１０内でクランプするときには、位置決め嵌合部２８が前記いずれかの位置決め溝１ｄ，１ｄに嵌合してクランプベース１２の高さ位置が決められた状態で、ドライブベース１１とクランプベース１２との連結が解除される。そして、さらに切換え板１４と１５とでドライブベース１１が持ち上げられて、ドライブベース１１とクランプベース１２との距離がＨ２に接近して、トレイＴ上のディスクＤのクランプが可能となる（図４参照）。
【００３６】
図２は駆動ユニット１０がホームポジション（例えば最上段のトレイＴの選択位置）に位置する状態、図３は駆動ユニット１０が移動して、マガジンＭ内のいずれかのトレイ（例えば上から３段目のトレイ）Ｔが選択された状態を示している。この図２および図３の状態では、位置決め溝１ｄ，１ｄによってクランプベース１２の高さ位置が決められ、しかもドライブベース１１はクランプベース１２からやや離れており、ドライブベース１１とクランプベース１２との対向間隔はＨ１である。図４は、選択されたトレイＴ上のディスクＤがクランプされた状態を示しているが、この状態では、クランプベース１２がいずれかの位置決め溝１ｄ，１ｄに位置決めされた状態で、切換え板１４と１５とでドライブベース１１が持ち上げられ、ドライブベース１１とクランプベース１２と対向間隔はＨ２に縮められる。
【００３７】
図２以下の各図に示すように、前記ドライブベース１１には、上面側に回転テーブル３１が回転自在に設けられ、下面側に前記回転テーブル３１を回転駆動するスピンドルモータ３２が設けられて、ディスクの回転駆動部が形成されている。また、ドライブベース１１には、ディスクＤに対向する光ヘッド（図示せず）が設けられている。
【００３８】
そして、前記ドライブベース１１の、ディスク設置部Ｉ側の先部（Ｙ１側の先部）には、下側に一体に折り曲げられた規制壁１１ａが一体に形成されている。図２に示すように、駆動ユニット１０がホームポジションに位置しているときに、前記規制壁１１ａは、マガジンＭの開口部Ｍ１に露出しているトレイＴのうちの下側の４段のトレイに対向する。
【００３９】
また、前記クランプベース１２の下面には、クランパ３３が回転自在に支持されている。図１に示すように、クランプベース１２にはＹ方向に延びる案内溝１２ａが形成されており、この案内溝１２ａに引き込み部材３５が摺動自在に支持されている。クランプベース１２の上面には引き込みアーム３６が設けられている。この引き込みアーム３６は、クランプベース１２上で軸３７により回動自在に支持されている。引き込みアーム３６の先部には長穴３６ａが形成されており、前記引き込み部材３６の上面に一体に形成された連結ピン３８がこの長穴３６ａ内に挿入されている。
【００４０】
また引き込みアーム３６にはカム穴３６ｂが形成されている。クランプベース１２の上面には回転板３９が回転自在に支持されていると共に、クランプベース１２またはドライブベース１１に設けられたモータにより前記回転板３９が回転駆動される。そしてこの回転板３９上に駆動ピン４１が固定され、前記駆動ピン４１が前記カム穴３６ｂ内に挿入されている。よって、前記モータにより回転板３９が回転駆動されると、引き込みアーム３６が回動して、引き込み部材３５がＹ１−Ｙ２方向へ駆動される。
【００４１】
図２以下の各図に示すように、前記引き込み部材３５には各トレイＴの掛止部Ｔ１に掛止されるフック３５ａと、ドライブベース１１の方向へ延びる規制壁３５ｂとが一体に形成されている。図２に示すように、駆動ユニット１０がホームポジションに位置し、引き込み部材３５がＹ１側に移動しているとき、マガジンＭ内の最上段から次の段までの２枚のトレイに前記規制壁３５ｂが対向する。
【００４２】
なお、駆動ユニット１０のドライブベース１１とクランプベース１２との対向間隔がＨ１に広げられている状態で、前記規制壁３５ｂの下端３５ｂ１とドライブベース１１との間の間隔は、トレイＴの厚さ寸法未満となる。
【００４３】
さらに、図３と図４に示すように、ドライブベース１１の引き込み側（Ｙ２側）には切り欠きまたは穴の退避空間１１ｂが形成されている。図４に示すように、引き込み部材３５がＹ２側に移動し、引き込み部材３５のフック３５ａでトレイＴがＹ２方向へ引き込まれ、さらにドライブベース１１が上昇して、ドライブベース１１とクランプベース１２との対向間隔がＨ２となり、ディスクＤがクランプされた状態で、前記引き込み部材３５の規制壁３５ｂは、前記退避空間１１ｂに入り込めるようになっている。
【００４４】
次に、上記ディスク選択式ディスク装置の動作を説明する。
【００４５】
マガジンＭは、筐体１の装填口２からディスク設置部Ｉに装填される。このときマガジンＭの開口部Ｍ１は、駆動ユニット１０側に向けられている。そしてディスク設置部Ｉ内のマガジンＭでは、６枚の全てのトレイＴが、前記開口部Ｍ１から引き出し自在に現れている。
【００４６】
ディスク選択駆動領域ＩＩでは、ディスク選択動作やディスク駆動を行っていない状態で、駆動ユニット１０がホームポジションに設定される。この実施の形態でのホームポジションは、マガジンＭ内の最上段のトレイＴを選択できる位置と同じである。
【００４７】
このとき、ドライブベース１１に設けられたガイド軸１３，１３は、切換え板１４の選択穴２２，２２の段差部２２ａに位置しており、この段差部２２ａにガイド軸１３，１３が支えられてドライブベース１１が不用意に動かないようになっている。すなわち、この実施の形態では、前記選択穴２２，２２の段差部２２ａとガイド軸１３とで、駆動ユニット１０を所定の位置（ホームポジション）にロックするロック手段が構成されている。またこのロック手段によるロック状態では、図２に示すように、ドライブベース１１とクランプベース１２とは、対向間隔が互いに離れたＨ１に設定されて互いに連結されている。
【００４８】
図２に示すように、前記ホームポジションでは、ドライブベース１１に折り曲げられた規制壁１１ａが、マガジンＭの開口部Ｍ１に現れている下から４段目までの４枚のトレイＴに対向し、また引き込み部材３５に形成されている規制壁３５ｂが、マガジンＭの開口部Ｍ１に現れている最上段から２段目までの２枚のトレイＴに対向している。したがって、全てのトレイＴは、不用意に駆動ユニット１０側へ突出できないようになっている。さらに規制壁３５ｂの下端３５ｂ１とドライブベース１１の上面との間隙がトレイＴの厚さ寸法未満であるため、トレイＴが、規制壁３５ｂとドライブベース１１との間隙内に入り込むこともない。
【００４９】
したがって、トレイの選択やディスクの駆動を行っていないときに、駆動ユニット１０をホームポジションに位置させておけば、車体振動が筐体１に衝撃的に作用したような場合でも、マガジンＭ内のトレイＴが不用意に駆動ユニット１０側へ突出するのを防止できる。
【００５０】
また、このディスク装置の出荷時に、マガジンＭがディスク設置部Ｉに装填されたままの状態で梱包された場合に、前記駆動ユニット１０をホームポジションに位置させておけば、荷積みやその他の衝撃が作用したときに、トレイＴが不用意に駆動ユニット１０内に突出するのを防止できる。しかも、切換え板１４，１５の選択穴２２の段差部２２ａとガイド軸１３とで構成されるロック手段で、駆動ユニット１０が位置決めロックされているため、荷積みの衝撃などで、駆動ユニット１０が前記ホームポジションから動くこともない。
【００５１】
次に、トレイの選択動作では、モータ２６によって切換え板１４と切換え板１５が駆動されて、選択穴２２，２２により駆動ユニット１０が昇降されて、マガジンＭ内のいずれかのトレイＴが選択される。駆動ユニット１０が選択されたトレイＴの前方に対向すると、位置決め嵌合部２８がいずれかの位置決め溝１ｄ，１ｄに嵌合してクランプベース１２が位置決めされる。
【００５２】
図３は、例えば上から３番目のトレイＴを選択する位置で駆動ユニット１０が停止している状態を示しているが、この時点では、ドライブベース１１とクランプベース１２とは間隔がＨ１に設定されて連結されている。
【００５３】
選択動作が完了し、前記のようにクランプベース１２が位置決め溝１ｄ，１ｄに位置決めされると、図３に示すように、クランプベース１２上の回転板３９が回転し、引き込みアーム３６が時計方向へ回動し、引き込み部材３５がＹ２方向へ移動する。よって引き込み部材３５のフック３５ａにより掛止部Ｔ１が掛止されて、トレイＴがドライブベース１１とクランプベース１２との間でＹ２方向へ引き込まれる。
【００５４】
引き込みが完了すると、位置決め溝１ｄ，１ｄによって高さが決められているクランプベース１２とドライブベース１１との連結が解除される。そして切換え板１４がＹ１方向へ、切換え板１５がＹ２方向へさらに駆動されて、ドライブベース１１が上昇し、図４に示すように、トレイＴ上のディスクＤが回転テーブル３１により持ち上げられ、ディスクＤが回転テーブル３１とクランパ３３とでクランプされる。このクランプ状態では、ドライブベース１１とクランプベース１２との対向間隔がＨ２に縮められるが、このとき、引き込み部材３５に形成された規制壁３５ｂの下端３５ｂ１が、ドライブベース１１のＹ２側の退避空間１１ｂ内に入り込む。
【００５５】
ディスクの駆動が完了すると、ドライブベース１１が下降して、ドライブベース１１とクランプベース１２との間隔がＨ１に広げられ、引き込み部材３５がＹ１方向へ移動して、ディスクＤを載置したトレイＴがマガジンＭ内に戻される。
【００５６】
さらに他のディスクＤを選択して駆動するときには、駆動ユニット１０が上下に移動して、新たなトレイを選択し、前記と同様のディスククランプ動作に移行する。ただし、ディスクの選択駆動指令が出されない場合には、再び駆動ユニット１０が図２に示すホームポジションに移行する。
【００５７】
なお、前記実施の形態では、引き込み部材３５が、クランプベース１２側に設けられているが、引き込み部材３５がドライブベース１１側に設けられて、この引き込み部材３５と一体の規制壁３５ｂが前記クランプベース１２側へ延びていてもよい。この場合には、クランプベース１２側に前記退避空間１１ｂが形成される。
【００５８】
また、前記ホームポジションのときに、引き込み部材３５に形成された規制壁３５ｂのみが、マガジンＭ内の全てのトレイＴに対向するように構成してもよい。
【００５９】
さらに、本発明では、図１に示す筐体１のＹ１側の側板１ｅに装填口２が形成され、この装填口２からマガジンＭがＹ２方向へ装填されるものであってもよい。この場合、マガジンＭは開口部Ｍ１を挿入方向（Ｙ２方向）へ向けながらディスク設置部Ｉに装填されることになる。このとき駆動ユニット１０を前記ホームポジションに設定しておけば、Ｙ２方向へマガジンＭを装填するときの衝撃で、開口部Ｍ１からトレイＴが突出しようとしたときに、前記規制壁１１ａと規制壁３５ｂとで、前記トレイＴの突出を防止できる。
【００６０】
また前記マガジン内にトレイが設けられておらず、マガジン内にディスクが直接に引き出し自在に挿入され、駆動ユニットなどに設けられた引き出し手段によりマガジン内のディスクが駆動ユニット内に引き出されるものであってもよい。この場合、前記規制壁１１ａで、前記マガジンＭ内のディスクの突出が規制されるように構成できるし、またディスクを引き出す引き出し部材に規制壁を設けるようにすることも可能である。
【００６１】
【発明の効果】
以上のように、本発明では、ディスク設置部に設置されたトレイやディスクが不用意に駆動ユニット内へ突出するのを防止できる。
【図面の簡単な説明】
【図１】本発明のディスク選択式ディスク装置の構造を示す斜視図、
【図２】駆動ユニットがホームポジションに位置している状態を示す部分側面図、
【図３】駆動ユニットの引き込み部材により選択されたディスクが引き出された状態を示す部分側面図、
【図４】選択されて引き出されたトレイＴ上のディスクがクランプされた状態を示す部分側面図、
【符号の説明】
１  筐体
１ｄ  位置決め溝
２  装填口
１０  駆動ユニット
１１  ドライブベース
１１ａ  規制壁
１２  ドライブベース
１３  ガイド軸
１４，１５  切換え板
２２  選択穴
２２ａ  段差部
２２ｂ  傾斜長穴
３５  引き込み部材
３５ａ  フック
３５ｂ  規制壁
３６  引き込みアーム
Ｄ  ディスク
Ｍ  マガジン
Ｍ１  開口部
Ｔ  トレイ
Ｔ１  掛止部
【図１】
0003642988.tif 000002
【図２】
0003642988.tif 000003
【図３】
0003642988.tif 000004
【図４】
0003642988.tif 000005